(57)【要約】【課題】予告演出の状況を遊技者に正しく認識させることが可能な遊技機を提供する。【解決手段】乱数情報に基づく図柄変動後の停止態様が特定態様となった場合に利益状態を発生させる利益状態発生手段と、乱数情報を所定数を限度として保留記憶する乱数情報記憶手段と、乱数情報を先読み判定する先読み判定手段と、先読み判定結果に基づく予告演出に関する報知演出を制御する報知演出制御手段とを備え、報知演出は、乱数情報が取得されたときにその乱数情報に対応する演出態様に応じた報知態様で報知する第１報知演出と、乱数情報が取得された後に演出態様が変化したときにその変化に応じた報知態様で報知する第２報知演出とを含み、第１報知演出よりも第２報知演出を優先して実行可能とする。【選択図】図１１
2017158699.tif 000002
【特許請求の範囲】
【請求項１】
図柄始動条件の成立に基づいて乱数情報を取得する乱数情報取得手段と、
前記乱数情報に基づいて図柄変動を表示する図柄表示手段と、
前記図柄表示手段による図柄変動後の停止態様が特定態様となった場合に利益状態を発生させる利益状態発生手段と、
前記乱数情報を前記図柄表示手段による図柄変動に供されるまで所定数を限度として保留記憶する乱数情報記憶手段と、
前記乱数情報を前記図柄変動に供されるよりも前に先読み判定する先読み判定手段と、
前記先読み判定手段による先読み判定結果に基づく予告演出を制御する予告演出制御手段とを備え、
前記予告演出制御手段は、前記先読み判定結果に基づいて前記乱数情報に対応する演出態様を変化させることが可能な
遊技機において、
前記予告演出に関する報知演出を制御する報知演出制御手段を備え、
前記報知演出は、前記乱数情報が取得されたときにその乱数情報に対応する前記演出態様に応じた報知態様で報知する第１報知演出と、前記乱数情報が取得された後に前記演出態様が変化したときにその変化に応じた報知態様で報知する第２報知演出とを含み、
前記第１報知演出よりも前記第２報知演出を優先して実行可能に構成した
ことを特徴とする遊技機。
【請求項２】
前記特定図柄変動におけるリーチ演出時に該図柄変動に係る前記予告演出について前記第２報知演出を行う場合にその第２報知演出を前記第１報知演出よりも優先して実行する
ことを特徴とする請求項１に記載の遊技機。
【請求項３】
前記乱数情報記憶手段による前記乱数情報の保留記憶数を、その保留記憶数分の保留表示部を保留表示態様とすることにより報知する保留記憶数報知制御手段を備え、
前記予告演出制御手段は、前記先読み判定結果に基づいて前記保留表示態様を変化させることが可能に構成した
ことを特徴とする請求項１又は２に記載の遊技機。
【請求項４】
前記複数の乱数情報は、第１の図柄始動条件に基づいて取得された第１乱数情報とそれよりも後の第２始動条件に基づいて取得された第２乱数情報とを含み、
前記第２乱数情報に関する前記第２報知演出よりも前記第１乱数情報に関する前記第２報知演出を優先して実行する
ことを特徴とする請求項１〜３の何れかに記載の遊技機。
【請求項５】
遊技者に有利な前記利益状態が発生する場合には、前記第１乱数情報に関する前記第２報知演出よりも前記第２乱数情報に関する前記第２報知演出を優先して実行可能に構成した
ことを特徴とする請求項４に記載の遊技機。
【請求項６】
遊技者に有利な前記利益状態が発生する場合には、前記第２報知演出よりも前記第１報知演出を優先して実行可能に構成した
ことを特徴とする請求項１〜５の何れかに記載の遊技機。
【請求項７】
前記第１報知演出と前記第２報知演出との実行タイミングが略同時に到来した場合には、第１報知演出手段では優先的に前記第２報知演出を実行すると共に前記第１報知演出手段とは別の第２報知演出手段により前記第１報知演出を実行する
ことを特徴とする請求項１〜６の何れかに記載の遊技機。
【請求項８】
前記第１報知演出手段を視覚的報知手段、前記第２報知演出手段を聴覚的報知手段とした
ことを特徴とする請求項７に記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機では、図柄始動手段への遊技球の入賞その他の図柄始動条件の成立に基づいて乱数情報を取得し、その乱数情報に基づいて行われる図柄変動において停止図柄が特定態様となった場合に、遊技者に有利な利益状態が発生する。また、取得した乱数情報は図柄変動に供されるまで所定数を限度として保留記憶されるが、多くの遊技機では、その乱数情報を先読み判定し、その判定結果に基づいて予告演出を行うことが可能となっている。
その先読み判定結果に基づく予告演出としては、乱数情報が取得されてからその乱数情報に対応する特定図柄変動までの期間中に、その乱数情報に対応する演出態様（例えば保留表示画像の色）を先読み判定結果に基づいて変化させるものが知られている（例えば特許文献１）。
【先行技術文献】
【特許文献】
【０００３】
【特許文献１】特開２０１５−０８０６１７号公報
【発明の概要】
【発明が解決しようとする課題】
【０００４】
ところで、保留記憶された乱数情報に対応する演出態様を先読み判定結果に基づいて変化させる予告演出において十分な演出効果を得るためには、乱数情報が保留記憶されてその予告演出が開始したこと、その予告演出中に演出態様が変化したこと等、予告演出の状況を遊技者に正しく認識させることが重要である。
本発明は上記事情に鑑みてなされたものであり、予告演出の状況を遊技者に正しく認識させることが可能な遊技機を提供することを目的とする。
【課題を解決するための手段】
【０００５】
本発明は、図柄始動条件の成立に基づいて乱数情報を取得する乱数情報取得手段６２と、前記乱数情報に基づいて図柄変動を表示する図柄表示手段３２と、前記図柄表示手段３２による図柄変動後の停止態様が特定態様となった場合に利益状態を発生させる利益状態発生手段６６ａと、前記乱数情報を前記図柄表示手段３２による図柄変動に供されるまで所定数を限度として保留記憶する乱数情報記憶手段６３と、前記乱数情報を前記図柄変動に供されるよりも前に先読み判定する先読み判定手段６８と、前記先読み判定手段６８による先読み判定結果に基づく予告演出を制御する予告演出制御手段７５とを備え、前記予告演出制御手段７５は、前記先読み判定結果に基づいて前記乱数情報に対応する演出態様を変化させることが可能な遊技機において、前記予告演出に関する報知演出を制御する報知演出制御手段７６を備え、前記報知演出は、前記乱数情報が取得されたときにその乱数情報に対応する前記演出態様に応じた報知態様で報知する第１報知演出と、前記乱数情報が取得された後に前記演出態様が変化したときにその変化に応じた報知態様で報知する第２報知演出とを含み、前記第１報知演出よりも前記第２報知演出を優先して実行可能に構成したものである。
また、前記特定図柄変動中に該図柄変動に係る前記予告演出について前記第２報知演出を行う場合にその第２報知演出を前記第１報知演出よりも優先して実行するように構成してもよいし、前記特定図柄変動におけるリーチ演出時に該図柄変動に係る前記予告演出について前記第２報知演出を行う場合にその第２報知演出を前記第１報知演出よりも優先して実行するように構成してもよい。
また、前記乱数情報記憶手段６３による前記乱数情報の保留記憶数を、その保留記憶数分の保留表示部を保留表示態様とすることにより報知する保留記憶数報知制御手段７４を備え、前記予告演出制御手段７５は、前記先読み判定結果に基づいて前記保留表示態様を変化させることが可能に構成してもよい。
また、前記複数の乱数情報は、第１の図柄始動条件に基づいて取得された第１乱数情報とそれよりも後の第２始動条件に基づいて取得された第２乱数情報とを含み、前記第２乱数情報に関する前記第２報知演出よりも前記第１乱数情報に関する前記第２報知演出を優先して実行するように構成してもよい。この場合、遊技者に有利な前記利益状態が発生する場合には、前記第１乱数情報に関する前記第２報知演出よりも前記第２乱数情報に関する前記第２報知演出を優先して実行可能に構成してもよい。また、遊技者に有利な前記利益状態が発生する場合には、前記第２報知演出よりも前記第１報知演出を優先して実行可能に構成してもよい。
また、前記第１報知演出と前記第２報知演出との実行タイミングが略同時に到来した場合には、第１報知演出手段３４では優先的に前記第２報知演出を実行すると共に前記第１報知演出手段３４とは別の第２報知演出手段７１により前記第１報知演出を実行するように構成してもよい。この場合、前記第１報知演出手段３４を視覚的報知手段、前記第２報知演出手段７１を聴覚的報知手段としてもよい。
【発明の効果】
【０００６】
本発明によれば、予告演出の状況を遊技者に正しく認識させることが可能である。
【図面の簡単な説明】
【０００７】
【図１】本発明の第１の実施形態におけるパチンコ機の全体正面図である。
【図２】同パチンコ機の制御系のブロック図である。
【図３】同パチンコ機の遊技状態毎の普通図柄の当たり確率及び変動時間、下特別始動口の開閉パターンを示す図である。
【図４】同パチンコ機の大当たり判定、小当たり判定及び外れ判定の場合の大当たり判定乱数値、大当たり図柄乱数値、演出図柄の停止図柄態様、特別利益状態及び特別遊技状態の対応関係を示す図である。
【図５】同パチンコ機の保留減少コマンド及び保留増加コマンドの一例を示す図である。
【図６】同パチンコ機の最終表示態様選択テーブルを示す図である。
【図７】同パチンコ機の最終表示態様が虹色である場合の保留表示パターン選択テーブルを示す図である。
【図８】同パチンコ機の最終表示態様が赤色である場合の保留表示パターン選択テーブルを示す図である。
【図９】同パチンコ機の最終表示態様が青色である場合の保留表示パターン選択テーブルを示す図である。
【図１０】同パチンコ機の最終表示態様が白色である場合の保留表示パターン選択テーブルを示す図である。
【図１１】同パチンコ機の予告報知演出制御処理のフローチャートである。
【図１２】同パチンコ機の報知演出における優先順位の一例を示す図である。
【図１３】同パチンコ機の予告演出及び報知演出の具体例を示す図である。
【図１４】本発明の第２の実施形態におけるパチンコ機の予告報知演出制御処理のフローチャートである。
【図１５】本発明の第３の実施形態におけるパチンコ機の予告報知演出制御処理のフローチャートである。
【図１６】本発明の第４の実施形態におけるパチンコ機の予告報知演出制御処理のフローチャートである。
【図１７】本発明の第５の実施形態におけるパチンコ機の予告報知演出制御処理のフローチャートである。
【発明を実施するための最良の形態】
【０００８】
以下、本発明の実施形態を図面に基づいて詳述する。図１〜図１３は本発明をパチンコ機に採用した第１の実施形態を例示している。図１において、遊技機本体１は、矩形状の外枠２と、この外枠２の前側に左右一側、例えば左側のヒンジ３により開閉自在に枢着された前枠４とを備えている。前枠４の前側には、ガラス扉５と前面板６とが上下に配置され、夫々ヒンジ３と同じ側のヒンジ７により前枠４に開閉自在に枢支されている。なお、ガラス扉５と前面板６とを一つの扉体としてもよい。
【０００９】
前面板６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々設けられている。更に、上皿８等を前側から覆う上皿カバー１１上には、例えば左右方向の略中央に演出用の操作ボタン１２が設けられている。
【００１０】
前枠４には、ガラス扉５の後側に対応して遊技盤２１が着脱自在に装着されている。遊技盤２１の前面側には、発射手段から発射された遊技球を案内するガイドレール２２が環状に装着されると共に、そのガイドレール２２の内側の遊技領域２３に、センターケース２４、普通図柄始動手段２５、特別図柄始動手段２６、大入賞手段２７、普通入賞手段２８等の各種遊技部品が配置されている。
【００１１】
センターケース２４には、液晶式等の画像表示手段２９の他、普通図柄表示手段３１、特別図柄表示手段３２、普通保留個数表示手段３３、予告報知演出手段（第１報知演出手段）３４等が設けられている。また、画像表示手段２９は、演出図柄表示手段３５、特別保留個数表示手段３６等を構成している。
【００１２】
普通図柄始動手段２５は、普通図柄表示手段３１による図柄変動を開始させるためのもので、遊技球が通過可能な通過ゲートにより構成され、例えばセンターケース２４の左側に配置されており、遊技球の通過を検出可能な遊技球検出手段（図示省略）を備えている。
【００１３】
普通図柄表示手段３１は、普通図柄を変動表示するためのもので、複数個の普通図柄（例えば「○」「×」の２種類）に対応する複数個の発光体（例えばＬＥＤ）を備え、普通図柄始動手段２５が遊技球を検出することに基づいてそれら複数の発光体が所定順序で発光するように点滅して、普通図柄始動手段２５による遊技球検出時に取得された普通乱数情報に含まれる当たり判定乱数値が予め定められた当たり判定値と一致する場合には当たり態様（所定態様）に対応する例えば「○」側の発光体が点灯し、それ以外の場合には外れ態様に対応する例えば「×」側の発光体が点灯して停止する。
【００１４】
普通図柄始動手段２５による遊技球検出時に取得された普通乱数情報は、予め定められた上限保留個数、例えば４個を限度として保留記憶され、普通図柄表示手段３１による図柄変動が開始される毎に順次消化される。普通乱数情報の記憶個数（普通保留個数）は普通保留個数表示手段３３によって遊技者に報知される。
【００１５】
特別図柄始動手段２６は、特別図柄表示手段３２による図柄変動を開始させるためのもので、例えば上下２つの始動入賞手段２６ａ，２６ｂと、下始動入賞手段２６ｂを開閉する開閉手段３７と、始動入賞手段２６ａ，２６ｂに入賞した遊技球を夫々検出する遊技球検出手段（図示省略）とを備え、例えばセンターケース２４の下側に配置されている。上始動入賞手段２６ａは開閉手段等を有しない非開閉式入賞手段である。下始動入賞手段２６ｂは、開閉手段３７により遊技球が入賞可能な開状態と入賞不可能（又は開状態よりも入賞困難）な閉状態とに切り換え可能な開閉式入賞手段で、普通図柄表示手段３１の変動後の停止図柄が当たり態様となった場合に発生する普通利益状態において、開閉手段３７が所定時間閉状態から開状態に変化するように構成されている。
【００１６】
特別図柄表示手段（図柄表示手段）３２は、特別図柄を変動表示するためのもので、１個又は複数個、例えば１個の特別図柄を変動表示可能な７セグメント式等の表示手段により構成されており、特別図柄始動手段２６が遊技球を検出すること、即ち上下２つの始動入賞手段２６ａ，２６ｂの何れかに遊技球が入賞することを条件に特別図柄を所定時間変動表示して、始動入賞手段２６ａ，２６ｂへの入賞時に取得された特別乱数情報に含まれる大当たり判定乱数値が予め定められた大当たり判定値と一致する場合には所定の大当たり態様（特定態様）で、小当たり判定値と一致する場合には所定の小当たり態様で、それ以外の場合には外れ態様で停止するようになっている。
【００１７】
本実施形態では、大当たり態様が複数種類、例えば第１〜第４の４種類設けられている。なお、大当たり態様、小当たり態様及び外れ態様の各態様には夫々数字図柄等を割り当ててもよいし、遊技者がその特別図柄の種類を容易に区別できないように、任意の線や点の組み合わせのような特別な意味を持たない図柄を割り当ててもよい。
【００１８】
特別図柄始動手段２６への遊技球入賞時に取得された特別乱数情報は、予め定められた上限保留個数、例えば４個を限度として保留記憶され、特別図柄表示手段３２による図柄変動が開始される毎に順次消化される。特別乱数情報の記憶個数（特別保留個数）は、特別保留個数表示手段３６が画像表示手段２９上に例えば特別保留個数分の保留表示画像Ｘを表示することにより遊技者に報知される。このように、特別保留個数表示手段３６は画像表示手段２９上に上限保留個数分の保留表示部を備え、特別保留個数分の保留表示部に保留表示画像Ｘを表示する（保留表示態様とする）ことにより特別保留個数を報知するようになっている。
【００１９】
保留表示画像Ｘには、保留１〜４個目に対応する保留表示画像Ｘ１〜Ｘ４と、当該変動（特定図柄変動）に対応する保留表示画像Ｘ０とが存在し、特別図柄の変動が新たに開始される際には、保留表示画像Ｘ１〜Ｘ４がそれぞれ前側に１個ずつシフトして保留表示画像Ｘ０〜Ｘ３に変化した後、当該変動に対応する保留表示画像Ｘ０については所定のタイミング、例えば当該変動の終了時点で消去されるようになっている。なお、特別乱数情報が保留記憶されるのは図柄変動に供されるまで、即ち対応する図柄変動（特定図柄変動）が開始されるまでであるため、保留表示画像Ｘ１がＸ０に変化した時点で特別乱数情報は保留状態ではなくなるが、便宜上、Ｘ０についても保留表示画像と呼ぶものとする。
【００２０】
また、特別保留個数表示手段３６は、特別保留個数の報知と共に、特別利益状態（後述する）の発生に関する予告演出を行う予告演出手段としても機能するように構成されている。即ち、新たに保留記憶された特別乱数情報に対応する保留表示画像Ｘ１〜Ｘ４がＸ０まで順次シフトされる際の表示態様（演出態様）の変化パターンである保留表示パターンが複数種類設けられており、特別保留個数表示手段３６は、各保留記憶に対応する保留表示画像Ｘ０〜Ｘ４を、先読み判定の結果に基づいて選択された保留表示パターンに従って表示することにより、特別利益状態の発生に関する予告演出を行うようになっている。
【００２１】
ここで先読み判定とは、取得された特別乱数情報について、特別図柄の変動に供されるよりも前（ここでは特別乱数情報が取得されたとき）に行われるものであって、例えば大当たり判定乱数値が大当たり判定値と一致するか否かの大当たり判定等を行うようになっている。この先読み判定の詳細については後述する。なお本実施形態では、保留表示画像Ｘ０〜Ｘ４はそれぞれ白色、青色、赤色、虹色の４種類の表示色（演出態様）で表示可能であるとする。
【００２２】
演出図柄表示手段３５は、例えば特別図柄表示手段３２による特別図柄の変動表示と並行して演出図柄を変動表示するもので、１個又は複数個、例えば左右方向に３個の演出図柄を例えば各種の演出画像と共に画像表示手段２９上で変動表示可能に構成されており、特別図柄始動手段２６が遊技球を検出した場合、即ち上下２つの始動入賞手段２６ａ，２６ｂの何れかに遊技球が入賞した場合に、例えば特別図柄の変動開始と同時に複数種類の変動パターンの何れかに従って演出図柄の変動を開始すると共に、特別図柄の変動停止と同時に最終停止するように、演出図柄を左、右、中等の所定の順序で停止させるようになっている。
【００２３】
なお本実施形態では、特別図柄が第１〜第４大当たり態様、小当たり態様、外れ態様で停止する場合には、演出図柄はそれに対応して第１〜第４大当たり演出態様、小当たり演出態様、外れ演出態様で停止するものとする。ここで、演出図柄の停止図柄態様については、例えば第１大当たり演出態様及び小当たり演出態様は、複数（３つ）の図柄のうちの少なくとも１つが他と異なる「非ぞろ目」の停止図柄態様のうちで予め定められた１又は複数、第２〜第４大当たり演出態様は複数（３つ）の図柄が全て同じ図柄で揃った「ぞろ目」の停止図柄態様、外れ態様は「非ぞろ目」の停止図柄態様のうち、第１大当たり演出態様及び小当たり演出態様以外の停止図柄態様で構成されているものとする。
【００２４】
また、演出図柄の変動パターンには、リーチ状態を経ることなく外れ演出態様となるリーチなし通常変動パターンと、リーチ状態を経て外れ演出態様又は大当たり演出態様となるリーチ変動パターンとがある。リーチ変動パターンによる演出図柄の変動中には、リーチ状態の成立後にリーチ演出が行われる。
【００２５】
大入賞手段２７は、遊技球が入賞可能な開状態と入賞不可能な閉状態とに切り換え可能な開閉板３９を備えた開閉式入賞手段で、特別図柄表示手段３２の変動後の特別図柄が特定態様、即ち第１〜第４大当たり態様又は小当たり態様となることに基づいて特別利益状態、即ち大当たり状態又は小当たり状態が発生したときに、開閉板３９が所定の開放パターンに従って前側に開放して、その上に落下した遊技球を内部へと入賞させるようになっている。
【００２６】
本実施形態では、特別利益状態における大入賞手段２７の開放パターンとして、１５Ｒ開放パターン、２Ｒ開放パターン及び１Ｒ開放パターンの３種類が用意されており、図４に示すように、特別図柄の変動後の停止図柄が第２〜第４大当たり態様となった場合には１５Ｒ開放パターンが、第１大当たり態様となった場合には２Ｒ開放パターンが、小当たり態様となった場合には１Ｒ開放パターンがそれぞれ選択されるようになっている。
【００２７】
１５Ｒ開放パターンは、大入賞手段２７を、開放してから所定時間（例えば２８秒）経過するかそれまでに所定個数（例えば９個）の遊技球が入賞することを条件に閉鎖する動作を１５ラウンド行うように設定されている。２Ｒ開放パターンは、大入賞手段２７を０．２秒開放する動作を２ラウンド行うように設定されている。１Ｒ開放パターンは、大入賞手段２７を０．２秒×２回開放する動作を１ラウンド行うように設定されており、外見上は２Ｒ開放パターンと同じである。即ち、第１大当たり態様と小当たり態様の場合で大入賞手段２７の開放パターンに外見上の違いはない。
【００２８】
予告報知演出手段３４は、特別保留個数表示手段３６による予告演出に関する報知演出を行うもので、例えば一又は複数のＬＥＤ３４ａにより例えば多色発光が可能に構成されており、予告演出による保留表示画像Ｘの表示色（演出態様）の変化等に対応して所定の発光色で発光することにより報知演出を実行可能となっている。この報知演出の詳細については後述する。
【００２９】
図２は本パチンコ機の制御系のブロック図である。図２において、４１は主制御基板、４２は演出制御基板で、これら各制御基板４１，４２は、遊技盤２１に装着されたセンターケース２４、その他の複数個の遊技部品を裏側から一括して覆う裏カバーの裏側等、前枠４及び遊技盤２１を含む遊技機本体１の裏側の適宜箇所に着脱自在に装着された基板ケースに夫々収納されている。
【００３０】
主制御基板４１は、遊技動作を統括的に制御するもので、ＣＰＵ，ＲＯＭ，ＲＡＭ等により構成される普通乱数作成処理手段５１、普通始動口チェック処理手段５２、普通乱数記憶手段５３、普通図柄処理手段５４、普通図柄表示制御手段５５、普通利益状態発生手段５６、特別乱数作成処理手段６１、特別始動口チェック処理手段６２、特別乱数記憶手段６３、特別図柄処理手段６４、特別図柄表示制御手段６５、特別利益状態発生手段６６、特別遊技状態発生手段６７、先読み判定手段６８、制御コマンド送信手段６９等を備えている。
【００３１】
普通乱数作成処理手段５１は、変動後の普通図柄を当たり態様とするか否かの判定に用いる当たり判定乱数等を所定時間毎に繰り返し発生するように構成されている。普通始動口チェック処理手段５２は、普通図柄始動手段２５による遊技球の検出に基づく処理を行うもので、普通図柄始動手段２５が遊技球を検出することに基づいて、普通乱数作成処理手段５１で作成された当たり判定乱数値等の普通乱数情報を１個取得し、その普通乱数情報を予め定められた上限保留個数（例えば各４個）を限度として先入れ先出し式の普通乱数記憶手段５３に記憶させるように構成されている。
【００３２】
普通図柄処理手段５４は、普通図柄の変動表示に関する処理を行うもので、普通図柄表示手段３１が変動表示可能な状態となり且つ普通乱数記憶手段５３に１個以上の普通乱数情報が記憶されていること（普通保留個数が１以上であること）を条件に、普通乱数記憶手段５３に記憶されている普通乱数情報の待ち行列からその先頭の当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００３３】
なお本実施形態では、当たり判定に用いる当たり判定値の数を、後述する開放延長状態中とそれ以外とで異ならせることにより、図３に示すように開放延長状態中の当たり確率（例えば１／１．３）がそれ以外のときの当たり確率（例えば１／１０）よりも高く設定されている。
【００３４】
普通図柄表示制御手段５５は、普通図柄処理手段５４による普通図柄処理に基づいて普通図柄表示手段３１の表示制御を行うもので、普通図柄表示手段３１が変動表示可能な状態となり且つ普通乱数記憶手段５３に１個以上の普通乱数情報が記憶されていること（普通保留個数が１以上であること）を条件に普通図柄表示手段３１による普通図柄の変動を開始させ、普通図柄処理手段５４で選択された変動時間が経過することに基づいて、同じく普通図柄処理手段５４で選択された停止図柄で普通図柄の変動を停止させるようになっている。
【００３５】
普通利益状態発生手段５６は、普通図柄処理手段５４による判定結果が当たり判定となり、普通図柄表示手段３１の変動後の停止図柄が当たり態様となった場合に、下特別始動口２６ｂの開閉手段３７を例えば複数種類の開閉パターンの何れかに従って開状態に変化させるようになっている。本実施形態では、通常開閉パターン（例えば０．２秒×１回開放）と、この通常開閉パターンよりも開放時間及び／又は開放回数が大となるように設定された特別開閉パターン（例えば２秒×３回開放）の２種類の開閉パターンが設定されており、図３に示すように開放延長状態中以外は通常開閉パターンが、開放延長状態中は特別開閉パターンが選択されるようになっている。
【００３６】
特別乱数作成処理手段６１は、大当たり／小当たり／外れの判定に用いる大当たり判定乱数の他、大当たり判定の場合の停止図柄態様の選択に用いる大当たり図柄乱数、外れ判定の場合の停止図柄の選択に用いる外れ図柄乱数、演出図柄の変動パターンの選択に用いる変動パターン乱数、その他の所定の乱数を繰り返し発生する特別乱数作成処理を行うように構成されている。
【００３７】
特別始動口チェック処理手段（乱数情報取得手段）６２は、特別図柄始動手段２６への遊技球の入賞に基づく処理を行うもので、特別図柄始動手段２６が遊技球を検出すること、即ち特別始動口２６ａ，２６ｂの何れかに遊技球が入賞すること（図柄始動条件の成立）に基づいて、特別乱数作成処理手段６１で作成された大当たり判定乱数値、大当たり図柄乱数値等の特別乱数情報を１個取得し、その特別乱数情報を予め定められた上限保留個数（例えば各４個）を限度として先入れ先出し式の特別乱数記憶手段（乱数情報記憶手段）６３に記憶させるように構成されている。
【００３８】
特別図柄処理手段６４は、特別図柄の変動表示に関する処理を行うもので、特別図柄表示手段３２が変動表示可能な状態となり且つ特別乱数記憶手段６３に１個以上の特別乱数情報が記憶されていること（特別保留個数が１以上であること）を条件に、特別乱数記憶手段６３に記憶されている特別乱数情報の待ち行列からその先頭の大当たり判定乱数値を取り出し、その大当たり判定乱数値が予め定められた大当たり判定値又は小当たり判定値と一致するか否かに応じて大当たり／小当たり／外れの判定を行う大当たり判定機能、大当たり判定の場合に、特別乱数記憶手段６３に大当たり判定乱数値と共に記憶されている大当たり図柄乱数値に基づいて第１〜第４大当たり態様の何れかを選択し、小当たり判定の場合に、例えば１又は複数種類の小当たり態様の何れかを抽選等により選択し、外れ判定の場合に、例えば１又は複数種類の外れ態様の何れかを抽選等により選択する特別停止図柄選択機能、大当たり／小当たり／外れの判定結果と、新たに取得された変動パターン乱数値とに基づいて演出図柄の変動パターンを選択する変動パターン選択機能等を備えている。なお以下の説明では、第１〜第４大当たり態様が選択された場合の大当たりの種類を夫々第１〜第４大当たりとして区別するものとする。
【００３９】
特別図柄表示制御手段６５は、特別図柄表示手段３２の表示制御を行うもので、特別図柄処理手段６４による特別図柄処理に基づいて特別図柄表示手段３２による特別図柄の変動を開始させると共に、選択された演出図柄の変動パターンに対応する変動時間が経過することに基づいて所定の停止図柄で特別図柄の変動を停止させるようになっている。
【００４０】
特別利益状態発生手段６６は、特別図柄処理手段６４による大当たり判定結果（内部抽選結果）に基づいて特別利益状態(利益状態)を発生させるためのもので、大当たり状態発生手段（利益状態発生手段）６６ａと小当たり状態発生手段６６ｂとを備えている。大当たり状態発生手段６６ａは、特別図柄処理手段６４による大当たり／小当たり／外れの判定結果が大当たりとなり、特別図柄表示手段３２による特別図柄の変動後の停止図柄が第１〜第４大当たり態様の何れかになった場合に、大入賞手段２７が所定の開放パターンに従って開放する大当たり状態を発生させるように構成されている。本実施形態では、大当たり状態における大入賞手段２７の開放パターンとして２Ｒ，１５Ｒの２種類が設けられており、第１大当たりの場合には２Ｒ開放パターンが、第２〜第４大当たりの場合には１５Ｒ開放パターンが夫々選択されるようになっている（図４）。
【００４１】
小当たり状態発生手段６６ｂは、特別図柄処理手段６４による大当たり／小当たり／外れの判定結果が小当たりとなり、特別図柄表示手段３２による特別図柄の変動後の停止図柄が小当たり態様となった場合に、大入賞手段２７が所定の開放パターンに従って開放する小当たり状態を発生させるように構成されている。小当たり状態における大入賞手段２７の開放パターンは例えば１種類で、第１大当たり態様の場合の２Ｒ開放パターンと外見上同じ動作が行われる１Ｒ開放パターンが設定されている（図４）。
【００４２】
特別遊技状態発生手段６７は、特別利益状態発生後に遊技者に有利な特別遊技状態を発生させるためのもので、例えば大当たりの種類に応じて、確変状態、開放延長状態を個別に発生させるようになっている。
【００４３】
確変状態中は、大当たり判定値の数が例えば１個から１０個へ増加されることにより、大当たりとなる確率が低確率（例えば１／３５０）から高確率（例えば１／３５）に切り換えられるようになっている。この確変状態は、大当たり状態の終了後に開始され、例えば次の大当たり状態が発生するまで継続される。
【００４４】
また、開放延長状態中は、下特別始動口２６ｂの開閉手段３７の開閉パターンが通常開閉パターン（例えば０．２秒×１回開放）からそれよりも開放時間及び／又は開放回数が大となる特別開閉パターン（例えば２秒×３回開放）へ切り換えられる他、例えば特別図柄に関して特別図柄表示手段３２の変動時間が通常変動時間よりも短い短縮変動時間に切り換えられ、普通図柄に関して当たり確率が通常確率（例えば１／１０）から高確率（例えば１／１．３）へ、変動時間が通常変動時間（例えば２７秒）から短縮変動時間（例えば２．７秒）へ、夫々切り換えられるようになっている。この開放延長状態は、大当たり状態の終了後に開始され、例えばその開始後に特別図柄が所定回数（例えば５０回）変動するか、それまでに次の大当たり状態が発生した時点で終了する。
【００４５】
本実施形態では、図４に示すように、第３，第４大当たりの場合には確変状態と開放延長状態との両方が発生し、第２大当たりの場合には開放延長状態のみが発生する。また、第１大当たりの場合には確変状態は常に発生するが、開放延長状態については、例えば大当たり発生時点の開放延長状態発生の有無に応じて、開放延長状態中であった場合には引き続き開放延長状態が発生し、開放延長状態中でなかった場合には開放延長状態は発生しない（いわゆる潜伏確変）ようになっている。
【００４６】
先読み判定手段６８は、特別図柄始動手段２６が遊技球を検出したときに取得される特別乱数情報の内容を、特別図柄処理手段６４による大当たり判定よりも前（図柄変動に供されるよりも前）の所定時点、例えばその特別乱数情報を取得した時点で先読み判定するもので、例えばその特別乱数情報に含まれる大当たり判定乱数値が大当たり判定値と一致するか否かに応じて、例えば大当たり判定乱数値が大当たり判定値、小当たり判定値の何れとも一致しない「外れ保留記憶」、大当たり判定乱数値が小当たり判定値と一致する「小当たり保留記憶」、大当たり判定乱数値が大当たり判定値と一致する「大当たり保留記憶」の何れであるかを判定するようになっている。
【００４７】
なお、この先読み判定結果を用いて行う予告演出等の内容に応じて、例えば大当たり図柄乱数値、変動パターン乱数値等の先読み判定を行ってもよい。もちろん、変動パターン乱数値の先読み判定を行う場合には、変動パターン乱数値は、大当たり判定乱数値等と同様、特別図柄始動手段２６が遊技球を検出したときに取得する必要がある。
【００４８】
制御コマンド送信手段６９は、所定の制御コマンドを一方向通信により演出制御基板４２等のサブ制御基板側に送信して制御指令を与えるためのもので、特別図柄処理手段６４による特別図柄処理に基づいて、特別図柄の変動開始時に、特別保留個数の減少を示す保留減少コマンド、演出図柄の変動パターンを指定する変動パターンコマンド、演出図柄の変動後の停止図柄態様の抽選を指示する停止図柄コマンドをこの順序で演出制御基板４２側に送信し、特別図柄の変動終了時に演出図柄の変動停止を指示する変動停止コマンドを演出制御基板４２側に送信する機能、特別図柄始動手段２６による遊技球検出時に増加後の特別保留個数等を示す保留増加コマンドを演出制御基板４２側に送信する機能、遊技状態が変化する際に遊技状態コマンドを演出制御基板４２側に送信する機能等を備えている。
【００４９】
保留減少コマンドは、図５に示すように例えば減少後の特別保留個数（ここでは０〜３個）に応じて複数種類（ここでは４種類）設けられている。また保留増加コマンドは、図５に示すように例えば増加後の特別保留個数（ここでは１〜４個）に応じた複数種類（ここでは４種類）のコマンドが、先読み判定手段６８による先読み判定結果、即ち外れ保留記憶、小当たり保留記憶、大当たり保留記憶の３種類に応じて３組設けられている。
【００５０】
演出制御基板４２は、画像表示手段２９、予告報知演出手段３４、音声出力手段７１、電飾手段７２等の各種演出手段を制御するためのもので、図柄変動演出制御手段７３、特別保留個数表示制御手段７４、予告演出制御手段７５、予告報知演出制御手段７６等を備えている。
【００５１】
図柄変動演出制御手段７３は、演出図柄の変動表示制御及びそれに伴う音声出力手段７１、電飾手段７２等の制御を行うもので、主制御基板４１から変動パターンコマンドを受信し、その後所定時間内に停止図柄コマンドを受信することを条件に、演出図柄の変動後の停止図柄を抽選により決定すると共に変動パターンコマンドで指定された変動パターンに基づいて画像表示手段２９上で所定の演出画像と共に演出図柄の変動を開始させ、変動停止コマンドを受信したときに、抽選により決定された停止図柄態様で演出図柄の変動を停止させ、またその演出図柄の変動表示に合わせて音声出力手段７１から所定の効果音を出力し、電飾手段７２を所定のパターンで発光させるようになっている。
【００５２】
特別保留個数表示制御手段（保留記憶数報知制御手段）７４は、特別保留個数表示手段３６による画像表示手段２９への特別保留個数（保留記憶数）の表示制御を行うもので、特別図柄始動手段２６により新たに遊技球が検出され、主制御基板４１から保留増加コマンドを受信したときに、その保留増加コマンドが第何番目の保留記憶に対応するものであるかに基づいて、画像表示手段２９上に保留表示画像Ｘ１〜Ｘ４を１個追加的に表示し、また特別図柄の変動開始時に主制御基板４１から保留減少コマンドを受信したときに、画像表示手段２９上に表示されている保留表示画像Ｘ１〜Ｘ４をそれぞれＸ０〜Ｘ３にシフトすると共に、その後の所定のタイミング、例えば当該図柄変動が終了するときに保留表示画像Ｘ０を消去するようになっている。
【００５３】
予告演出制御手段７５は、先読み判定手段６８による先読み判定結果に基づく予告演出を制御するもので、最終表示態様選択手段７５ａ、保留表示パターン選択手段７５ｂ等を備えており、特別乱数情報が取得されてからその特別乱数情報に対応する図柄変動（特定図柄変動）までの期間中における保留表示画像Ｘの表示色（演出態様）の変化を規定する保留表示パターンを、例えば保留増加コマンドを受信した時点で複数種類の中から選択するようになっている。
【００５４】
最終表示態様選択手段７５ａは、各特別乱数情報に対応する保留表示画像Ｘの最終表示態様を選択するもので、例えば主制御基板４１から保留増加コマンドを受信したときに、予め設けられた最終表示態様選択テーブルに基づいて、その新たな特別乱数情報に対応する最終表示色を選択するように構成されている。最終表示態様選択テーブルには、図６に示すように、保留増加コマンドより得られる先読み判定結果（大当たり、小当たり、外れの何れか）毎に、複数種類の最終表示態様（ここでは白、青、赤、虹の４種類の表示色）の選択率が設定されている。なお、本実施形態では表示色の変化は白→青→赤→虹の順序に従って０〜３段階の何れかとなっており、例えば白から青を飛ばして赤に変化することはあっても、赤から青や白への変化はないものとする。
【００５５】
図６に示す最終表示態様選択テーブルの場合、例えば主制御基板４１から保留増加コマンド“Ｂ５２４Ｈ”（図５参照）を受信した場合には、白、青、赤、虹の４種類の表示色の何れかがそれぞれ２０，３０，４０，１０％の確率で選択される。なお、図６に示す最終表示態様選択テーブルでは、４種類の最終表示態様のうち、虹色については先読み判定結果が大当たりの場合にのみ選択され、先読み判定結果が小当たり及び外れの場合には選択されない設定となっている。従って、４種類の最終表示態様のうち、虹色が最も大当たり期待度が高く、保留表示画像Ｘ０が虹色で表示された場合にはその図柄変動で必ず大当たり態様となる。
【００５６】
また、図６に示す最終表示態様選択テーブルでは、白、青、赤の各表示態様に関しては、先読み判定結果が大当たりの場合には赤色が、小当たりの場合には青色が、外れの場合には白色がそれぞれ最も高い選択率に設定されている。従って、虹色を除く３種類の表示態様では、赤色が最終表示態様となる場合が最も大当たり期待度が高く、白色が最終表示態様となる場合が最も大当たり期待度が低い。
【００５７】
なお、本実施形態の保留表示パターンでは白以外の色から白に変化することはないため、最終表示態様として白が選択された場合、その特別乱数情報に対応する保留表示画像Ｘの表示色は最初から最後まで白のまま変化しない。従って、予告演出を行わない場合の保留表示画像Ｘの表示色を例えば白とした場合、最終表示態様として白が選択されることが即ち予告演出を実行しない旨の抽選結果に等しい。もちろん、予告演出を行うか否かについては最終表示態様選択手段７５ａとは別に抽選等により決定してもよい。
【００５８】
保留表示パターン選択手段７５ｂは、保留記憶された特別乱数情報に対応する保留表示画像Ｘの変化状態を規定する保留表示パターンを選択するもので、例えば最終表示態様選択手段７５ａによって最終表示態様が選択された場合に、予め設けられた保留表示パターン選択テーブルに基づいて、新たに保留記憶された特別乱数情報に対応する保留表示パターンを選択するように構成されている。保留表示パターン選択テーブルでは、１又は複数の保留表示パターンについてそれらの選択率が設定されており、選択対象とする保留表示パターンの種類毎、即ち例えば新たな特別乱数情報が何番目の保留記憶であるか、また最終表示態様選択手段７５ａで選択された最終表示態様が何れであるかに応じて複数種類の保留表示パターン選択テーブルが設けられている。なお、以下の説明では第０番目（当該図柄変動に対応）から第４番目の保留記憶をそれぞれ保留０〜保留４というものとする。
【００５９】
例えば図７は最終表示態様が虹色の保留表示パターンを選択対象とする保留表示パターン選択テーブルを示しており、図７（ａ）〜（ｄ）が、それぞれ新たに記憶された特別乱数情報が保留４〜保留１である場合の保留表示パターンＡ４１〜Ａ４６，Ａ３１〜Ａ３６，Ａ２１〜Ａ２６，Ａ１１〜Ａ１３を選択対象とする保留表示パターン選択テーブルＡ４〜Ａ１である。同様に、図８は最終表示態様が赤色の保留表示パターンＢ４１〜Ｂ４８，Ｂ３１〜Ｂ３５，Ｂ２１〜Ｂ２５，Ｂ１１〜Ｂ１３を選択対象とする保留表示パターン選択テーブルＢ４〜Ｂ１を、図９は最終表示態様が青色の保留表示パターンＣ４１〜Ｃ４４，Ｃ３１〜Ｃ３３，Ｃ２１〜Ｃ２３，Ｃ１１〜Ｃ１２を選択対象とする保留表示パターン選択テーブルＣ４〜Ｃ１を、図１０は最終表示態様が白色の保留表示パターンＤ４１，Ｄ３１，Ｄ２１，Ｄ１１を選択対象とする保留表示パターン選択テーブルＤ４〜Ｄ１をそれぞれ示している。
【００６０】
なお、図７〜図１０に示す保留表示パターン選択テーブルは全ての保留表示パターンを選択対象とするものとはなっていない。例えば、図７に示す保留表示パターン選択テーブルＡ４〜Ａ１では、保留１以前に虹色となる保留表示パターンは選択対象とはなっていない。
【００６１】
図７〜図１０に示す保留表示パターン選択テーブルを用いる場合、例えば主制御基板４１から保留増加コマンド“Ｂ５２４Ｈ”（図５参照）を受信し、最終表示態様選択手段７５ａによって最終表示態様として虹色が選択された場合には、保留４に対応する保留表示パターン選択テーブルＡ４（図７（ａ））に基づいて保留表示パターンＡ４１〜Ａ４６の何れかがそれぞれ３０，２５，２０，１５，７，３％の確率で選択される。
【００６２】
なお本実施形態の予告演出では、保留表示画像Ｘの表示色が変化するタイミングと、保留表示画像Ｘがシフトするタイミングとは必ずしも一致せず、保留表示画像Ｘがシフトして新たに特別図柄変動が開始されてからその特別図柄変動が終了するまでの任意のタイミングでその保留表示画像Ｘの表示色が変化するようになっている。例えば保留表示パターンＡ４１においては、保留表示画像Ｘ４が保留表示画像Ｘ３にシフトした後、次のシフトまでの所定のタイミングで白から青に変化し、保留表示画像Ｘ３が保留表示画像Ｘ２にシフトした後、次のシフトまでの所定のタイミングで青から赤に変化し、保留表示画像Ｘ１が保留表示画像Ｘ０にシフトした後、当該図柄変動中の所定のタイミングで赤から虹色に変化する。
【００６３】
また、例えば全ての保留表示パターンは複数のタイプに分類されており、本実施形態では、最初から最後まで表示態様が変化しない「タイプＴ０」、１回分の最大変化幅が１段階である「タイプＴ１」、１回分の最大変化幅が２段階である「タイプＴ２」、１回分の最大変化幅が３段階である「タイプＴ３」の４種類のタイプが設けられている。例えば、図８（ｃ）に示す「赤→赤→赤」の保留表示パターンＢ２１はタイプＴ０、同じく「青→赤→赤」の保留表示パターンＢ２２はタイプＴ１、同じく「白→白→赤」の保留表示パターンＢ２５はタイプＴ２、図７（ｂ）に示す「白→白→白→虹」の保留表示パターンＡ３６はタイプＴ３となっている。ここで、タイプＴ０の保留表示パターンが、表示態様が変化しない不変表示パターンであり、それ以外の全ての保留表示パターンが可変表示パターンである。
【００６４】
また、図７〜図１０に示す各保留表示パターン選択テーブルでは、例えば次のようなルールに従って各保留表示パターンの選択率が設定されている。即ち、まずタイプＴ０→Ｔ１→Ｔ２→Ｔ３の順に選択率が低くなっており、タイプが同じ複数の保留表示パターンに関しては、最初の表示態様の順位が低い表示パターンほど選択率が低く、更にタイプも最初の表示態様も同じ複数の保留表示パターンに関しては、表示態様の変化タイミングが遅い保留表示パターンほど選択率が低くなっている。
【００６５】
保留表示パターン選択手段７５ｂによって保留表示パターンが選択されると、その保留表示パターンに従って特別保留個数表示制御手段７４により画像表示手段２９上に保留表示画像が表示される。例えば主制御基板４１から保留増加コマンド“Ｂ５２４Ｈ”（図５参照）を受信し、最終表示態様選択手段７５ａによって最終表示態様として虹色が選択され、保留表示パターン選択手段７５ｂによって保留表示パターンＡ４１が選択された場合には、その時点で既に画像表示手段２９上に表示されている保留表示画像Ｘ１〜Ｘ３に加えて新たに白色の保留表示画像Ｘ４が表示される。そして、その保留表示画像Ｘ４は、主制御基板４１から保留減少コマンドを受信する毎にＸ４→Ｘ３→Ｘ２→Ｘ１→Ｘ０とシフトされるが、そのシフトと同時又はその後の所定のタイミングで表示色（演出態様）が白→青→赤→赤→虹へと順次変更される。
【００６６】
予告報知演出制御手段（報知演出制御手段）７６は、予告演出に関する報知演出を制御するもので、例えば図１２に示す予告報知演出制御処理を所定時間毎（例えば４ｍｓ毎）に実行することにより、第１報知演出と第２報知演出との２種類の報知演出を実行させることが可能となっている。
【００６７】
第１報知演出は、遊技球が特別図柄始動手段２６に入賞したとき、即ち特別乱数情報を取得したときに実行するもので、特別保留個数表示手段３６によって新たに表示される保留表示画像Ｘの表示色（演出態様）に対応する発光色（報知態様）で予告報知演出手段３４が所定時間（例えば１秒間）発光するようになっている。
【００６８】
第２報知演出は、保留記憶されている特別乱数情報に対応する保留表示画像Ｘの表示色が変化したときに実行するもので、例えばその変化後の表示色（演出態様）に対応する発光色（報知態様）で予告報知演出手段３４が所定時間（例えば１秒間）発光するようになっている。
【００６９】
図１１に示す予告報知演出制御処理では、まず既に表示中であった保留表示画像Ｘの少なくとも一つについて表示色が変化したか否かを判定する（Ｓ１）。保留表示画像Ｘの少なくとも一つについて表示色が変化した場合には（Ｓ１：Ｙｅｓ）、図１３（ａ）に示すように、その変化後の表示色に対応する発光色で予告報知演出手段３４を発光させるが（Ｓ３：第２報知演出）、複数の保留表示画像Ｘについて表示色が変化した場合には、図１３（ｂ）に示すように、それらのうちで最先の保留記憶に対応する保留表示画像Ｘを優先する。即ち、複数の第２報知演出については、第１の図柄始動条件に基づいて取得された第１乱数情報に関する第２報知演出が、それよりも後の第２始動条件に基づいて取得された第２乱数情報に関する第２報知演出よりも優先される。
【００７０】
一方、Ｓ１で既に表示中であった保留表示画像Ｘの中に表示色が変化したものが存在しない場合には（Ｓ１：Ｎｏ）、特別図柄始動手段２６に遊技球が入賞したか否かを判定する（Ｓ２）。そして、特別図柄始動手段２６に遊技球が入賞したと判定された場合には（Ｓ２：Ｙｅｓ）、図１３（ｃ）に示すように、新たに表示された保留表示画像Ｘの表示色に対応する発光色で予告報知演出手段３４を発光させる（Ｓ４：第１報知演出）。
【００７１】
このように、第１報知演出と第２報知演出とでは第２報知演出の方が優先される。従って、例えば新たな特別図柄変動の開始と略同時に特別図柄始動手段２６に遊技球が入賞し、第１報知演出と第２報知演出との実行タイミングが略同時に到来した場合には第２報知演出が優先され、図１３（ｄ）に示すように、予告報知演出手段３４は保留表示画像Ｘの変化後の表示色に対応する発光色で発光する。以上のように、予告報知演出制御手段７６による報知演出は、例えば図１２に示す優先順位に従って実行される。
【００７２】
なお、特別保留個数が上限個数である４個の状態で新たに特別図柄始動手段２６に遊技球が入賞したとき、その入賞時に取得された特別乱数情報は保留記憶されず、従って対応する保留表示画像Ｘも表示されないが、その始動入賞に係る第１報知演出は実行可能に構成してもよい。この場合の予告報知演出手段３４の発光色（報知態様）は、予告演出の何れかの演出態様に対応する発光色（例えば白）でもよいし、予告演出の演出態様に対応する発光色とは異なる発光色（例えば黄色）でもよい。
【００７３】
以上説明したように、本実施形態のパチンコ機では、予告演出に関する報知演出を制御する予告報知演出制御手段（報知演出制御手段）７６を備え、報知演出は、特別乱数情報（乱数情報）が取得されたときにその特別乱数情報に対応する演出態様に応じた報知態様で報知する第１報知演出と、特別乱数情報が取得された後に演出態様が変化したときにその変化に応じた報知態様で報知する第２報知演出とを含み、第１報知演出よりも第２報知演出を優先して実行可能に構成しているため、予告演出の状況を遊技者に正しく認識させることが可能である。
【００７４】
図１４は本発明の第２の実施形態を例示し、第１の実施形態を一部変更して、第１報知演出と第２報知演出との実行タイミングが略同時に到来した場合には、予告報知演出手段（第１報知演出手段）３４により第２報知演出を実行すると共に、音声出力手段（第２報知演出手段）７１により第１報知演出を実行するように構成した例を示している。なお、図１４に示す予告報知演出制御処理以外の構成は第１の実施形態と共通である。
【００７５】
本実施形態の予告報知演出制御処理（図１４）が第１の実施形態に係る予告報知演出制御処理（図１１）と異なるのはＳ５，Ｓ６の処理が追加されている点のみである。即ち、Ｓ１において保留表示画像Ｘの少なくとも一つについて表示色が変化したと判定された場合には（Ｓ１：Ｙｅｓ）、特別図柄始動手段２６への入賞があったか否かに拘わらず、その変化後の表示色（複数の保留表示画像Ｘで色変化があった場合にはそれらのうちで最先の保留記憶を優先）に対応する発光色で予告報知演出手段３４を発光させるが（Ｓ３：第２報知演出）、特別図柄始動手段２６への入賞もあったと判定された場合には（Ｓ５：Ｙｅｓ）、新たに表示された保留表示画像Ｘの表示色に対応する第１報知演出は、予告報知演出手段３４ではなく音声出力手段７１によりその表示色に対応する例えば「保留赤」等の音声を出力することにより行われる（Ｓ６）。
【００７６】
このように、第１報知演出と第２報知演出との実行タイミングが略同時に到来した場合には、第２報知演出を優先して予告報知演出手段（第１報知演出手段、視覚的報知手段）３４により第２報知演出を実行すると共に、音声出力手段（聴覚的報知手段）７１等、予告報知演出手段（第１報知演出手段）３４とは異なる第２報知演出手段により第１報知演出を実行するように構成してもよい。なお、第２報知演出手段は音声出力手段７１等の聴覚的報知手段に限られるものではなく、画像表示手段、発光手段、可動体等の演出手段でもよい。
【００７７】
図１５は本発明の第３の実施形態を例示し、第１の実施形態を一部変更して、大当たり状態（特定利益状態）が発生する場合には、第２報知演出よりも第１報知演出を優先して実行可能に構成した例を示している。なお、図１５に示す予告報知演出制御処理以外の構成は第１の実施形態と共通である。
【００７８】
本実施形態の予告報知演出制御処理（図１５）が第１の実施形態に係る予告報知演出制御処理（図１１）と異なるのはＳ７，Ｓ８の処理が追加されている点のみである。即ち、Ｓ１において保留表示画像Ｘの少なくとも一つについて表示色が変化したと判定された場合には（Ｓ１：Ｙｅｓ）、特別図柄始動手段２６への入賞があったか否かを判定し（Ｓ７）、特別図柄始動手段２６への入賞があったと判定された場合には（Ｓ７：Ｙｅｓ）、新たに取得された特別乱数情報は大当たりに対応するものであるか否かを判定する（Ｓ８）。
【００７９】
そして、特別図柄始動手段２６への入賞がなかった場合には（Ｓ７：Ｎｏ）、保留表示画像Ｘの変化後の表示色（複数の保留表示画像Ｘで色変化があった場合にはそれらのうちで最先の保留記憶を優先）に対応する発光色で予告報知演出手段３４を発光させる（Ｓ３）が、特別図柄始動手段２６への入賞はあったが新たに取得された特別乱数情報は大当たりに対応するものでない場合（Ｓ８：Ｎｏ）についても、第２報知演出を優先して、その変化後の表示色（複数の保留表示画像Ｘで色変化があった場合にはそれらのうちで最先の保留記憶を優先）に対応する発光色で予告報知演出手段３４を発光させる（Ｓ３）。
【００８０】
一方、保留表示画像Ｘの少なくとも一つについて表示色が変化した（Ｓ１：Ｙｅｓ）だけでなく特別図柄始動手段２６への入賞もあり（Ｓ７：Ｙｅｓ）、しかも新たに取得された特別乱数情報が大当たりに対応するものである場合には（Ｓ８：Ｙｅｓ）、第１報知演出を優先して、新たに表示された保留表示画像Ｘの表示色に対応する発光色で予告報知演出手段３４を発光させる（Ｓ４）。
【００８１】
このように、原則として第１報知演出よりも第２報知演出を優先するが、大当たり状態（特定利益状態）が発生する場合には、第２報知演出よりも第１報知演出を優先して実行可能に構成してもよい。なお、特定利益状態は大当たり状態に限られるものではなく、例えば小当たり状態を含む特別利益状態等であってもよい。
【００８２】
また同様に、第１特別乱数情報とそれよりも後に取得された第２特別乱数情報とについて略同時に保留表示画像Ｘの演出態様に変化があった場合、原則として第２特別乱数情報に関する第２報知演出よりも第１特別乱数情報に関する第２報知演出を優先するが、大当たり状態等の特定利益状態が発生する場合には、第１特別乱数情報に関する第２報知演出よりも第２特別乱数情報に関する第２報知演出を優先して実行可能に構成してもよい。
【００８３】
図１６は本発明の第４の実施形態を例示し、第１の実施形態を一部変更して、特別図柄の変動中に当該図柄変動に係る予告演出について第２報知演出を行う場合に、その第２報知演出を第１報知演出よりも優先して実行するように構成した例を示している。なお、図１６に示す予告報知演出制御処理以外の構成は第１の実施形態と共通である。
【００８４】
本実施形態の予告報知演出制御処理（図１６）が第１の実施形態に係る予告報知演出制御処理（図１１）と異なるのはＳ９，Ｓ１０の処理が追加されている点のみである。即ち、Ｓ１において保留表示画像Ｘの少なくとも一つについて表示色が変化したと判定された場合には（Ｓ１：Ｙｅｓ）、特別図柄始動手段２６への入賞があったか否かを判定し（Ｓ９）、特別図柄始動手段２６への入賞があったと判定された場合には（Ｓ９：Ｙｅｓ）、Ｓ１で表示色が変化したと判定された保留表示画像Ｘは保留表示画像Ｘ０であるか否かを判定する（Ｓ１０）。
【００８５】
そして、特別図柄始動手段２６への入賞がなかった場合には（Ｓ９：Ｎｏ）、保留表示画像Ｘの変化後の表示色（複数の保留表示画像Ｘで色変化があった場合にはそれらのうちで最先の保留記憶を優先）に対応する発光色で予告報知演出手段３４を発光させる（Ｓ３）が、特別図柄始動手段２６への入賞があり且つＳ１で表示色が変化したと判定された保留表示画像Ｘが保留表示画像Ｘ０であった場合（Ｓ１０：Ｙｅｓ）についても、第２報知演出を優先して、その変化後の表示色（複数の保留表示画像Ｘで色変化があった場合にはそれらのうちで最先の保留記憶を優先）に対応する発光色で予告報知演出手段３４を発光させる（Ｓ３）。
【００８６】
一方、保留表示画像Ｘの少なくとも一つについて表示色が変化した（Ｓ１：Ｙｅｓ）だけでなく特別図柄始動手段２６への入賞もあり（Ｓ９：Ｙｅｓ）、しかもＳ１で表示色が変化したと判定された保留表示画像Ｘが保留表示画像Ｘ０でなかった場合には（Ｓ１０：Ｎｏ）、第１報知演出を優先して、新たに表示された保留表示画像Ｘの表示色に対応する発光色で予告報知演出手段３４を発光させる（Ｓ４）。
【００８７】
このように、特別図柄の変動中に当該図柄変動に係る予告演出について第２報知演出を行う場合にはその第２報知演出を第１報知演出よりも優先して実行し、それ以外の場合には第１報知演出を第２報知演出よりも優先して実行可能に構成してもよい。
【００８８】
図１７は本発明の第５の実施形態を例示し、第４の実施形態を一部変更して、特別図柄の変動中で且つリーチ演出時に当該図柄変動に係る予告演出について第２報知演出を行う場合に、その第２報知演出を第１報知演出よりも優先して実行するように構成した例を示している。なお、図１７に示す予告報知演出制御処理以外の構成は第４の実施形態と共通である。
【００８９】
本実施形態の予告報知演出制御処理（図１７）が第４の実施形態に係る予告報知演出制御処理（図１６）と異なるのはＳ１１の処理が追加されている点のみである。即ち、Ｓ１において保留表示画像Ｘの少なくとも一つについて表示色が変化したと判定された場合には（Ｓ１：Ｙｅｓ）、特別図柄始動手段２６への入賞があったか否かを判定し（Ｓ９）、特別図柄始動手段２６への入賞があったと判定された場合には（Ｓ９：Ｙｅｓ）、Ｓ１で表示色が変化したと判定された保留表示画像Ｘは保留表示画像Ｘ０であるか否かを判定する（Ｓ１０）。また、Ｓ１で表示色が変化したと判定された保留表示画像Ｘが保留表示画像Ｘ０であった場合には（Ｓ１０：Ｙｅｓ）、その時点で演出図柄に関するリーチ演出中であるか否かを判定する（Ｓ１１）。
【００９０】
そして、特別図柄始動手段２６への入賞がなかった場合には（Ｓ９：Ｎｏ）、保留表示画像Ｘの変化後の表示色（複数の保留表示画像Ｘで色変化があった場合にはそれらのうちで最先の保留記憶を優先）に対応する発光色で予告報知演出手段３４を発光させるが（Ｓ３）、特別図柄始動手段２６への入賞があり且つＳ１で表示色が変化したと判定された保留表示画像Ｘが保留表示画像Ｘ０であり、しかもリーチ演出中であった場合（Ｓ１１：Ｙｅｓ）についても、第２報知演出を優先して、その変化後の表示色（複数の保留表示画像Ｘで色変化があった場合にはそれらのうちで最先の保留記憶を優先）に対応する発光色で予告報知演出手段３４を発光させる（Ｓ３）。
【００９１】
一方、保留表示画像Ｘの少なくとも一つについて表示色が変化した（Ｓ１：Ｙｅｓ）だけでなく特別図柄始動手段２６への入賞もあり（Ｓ９：Ｙｅｓ）、しかもＳ１で表示色が変化したと判定された保留表示画像Ｘが保留表示画像Ｘ０でなかった場合（Ｓ１０：Ｎｏ）、或いはＳ１で表示色が変化したと判定された保留表示画像Ｘが保留表示画像Ｘ０ではあったがリーチ演出中でない場合には（Ｓ１１：Ｎｏ）、第１報知演出を優先して、新たに表示された保留表示画像Ｘの表示色に対応する発光色で予告報知演出手段３４を発光させる（Ｓ４）。
【００９２】
このように、特別図柄の変動中で且つリーチ演出中に当該図柄変動に係る予告演出について第２報知演出を行う場合にはその第２報知演出を第１報知演出よりも優先して実行し、それ以外の場合には第１報知演出を第２報知演出よりも優先して実行可能に構成してもよい。
【００９３】
以上、本発明の実施形態について詳述したが、本発明はこの実施形態に限定されるものではなく、本発明の趣旨を逸脱しない範囲で種々の変更が可能である。例えば、保留表示画像Ｘを先読み判定結果に基づく表示態様で表示することにより予告演出を行う場合、その表示態様は色に限られるものではなく、任意の図形、絵柄等でもよい。また、予告演出に用いる特別保留個数表示手段は、画像表示手段２９に保留表示画像Ｘを表示するものに限られず、例えばＬＥＤ等の発光手段により構成してもよい。
【００９４】
また、報知演出を行う報知演出手段は、複数色で発光可能な発光手段に限られるものではなく、液晶等の画像表示手段、可動体を有する可動手段、音声出力手段、或いはそれらの組み合わせであってもよい。
【００９５】
予告演出を行う予告演出手段（例えば特別保留個数表示手段３６）による演出態様と、報知演出を行う報知演出手段（例えば予告報知演出手段３４）による報知態様とは、互いに対応関係にあればよく、実施形態のように同じ色等である必要はない。例えば、予告演出に係る演出態様が複数種類のキャラクター画像である場合には、報知態様は例えばそれらのキャラクター画像に対応する複数種類の発光色としてもよい。また、各演出態様と各報知態様とは夫々１対１に対応している必要はなく、例えば１つの演出態様に複数の報知態様が対応していてもよいし、複数の演出態様に１つの報知態様が対応していてもよい。
【００９６】
予告演出において演出態様（例えば保留表示画像Ｘの表示色）が変化するタイミングは、例えば保留表示画像Ｘがシフトするタイミング等、所定のタイミングに固定されていてもよい。
【００９７】
また本発明は、アレンジボール機、雀球遊技機等の各種弾球遊技機の他、スロットマシン等の弾球遊技機以外の遊技機においても同様に実施することが可能である。
【符号の説明】
【００９８】
３２    特別図柄表示手段(図柄表示手段)
３４    予告報知演出手段（第１報知演出手段）
６２    特別始動口チェック処理手段(乱数情報取得手段)
６３    特別乱数記憶手段（乱数情報記憶手段）
６６ａ  大当たり状態発生手段(利益状態発生手段)
６８    先読み判定手段
７１    音声出力手段（第２報知演出手段）
７４    特別保留個数表示制御手段（保留記憶数報知制御手段）
７５    予告演出制御手段
７６    予告報知演出制御手段（報知演出制御手段）
【図１】
2017158699.tif 000003
【図２】
2017158699.tif 000004
【図３】
2017158699.tif 000005
【図４】
2017158699.tif 000006
【図５】
2017158699.tif 000007
【図６】
2017158699.tif 000008
【図７】
2017158699.tif 000009
【図８】
2017158699.tif 000010
【図９】
2017158699.tif 000011
【図１０】
2017158699.tif 000012
【図１１】
2017158699.tif 000013
【図１２】
2017158699.tif 000014
【図１３】
2017158699.tif 000015
【図１４】
2017158699.tif 000016
【図１５】
2017158699.tif 000017
【図１６】
2017158699.tif 000018
【図１７】
2017158699.tif 000019
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
図柄始動条件の成立に基づいて乱数情報を取得する乱数情報取得手段と、
前記乱数情報に基づいて図柄変動を表示する図柄表示手段と、
前記図柄表示手段による図柄変動後の停止態様が特定態様となった場合に利益状態を発生させる利益状態発生手段と、
前記乱数情報を前記図柄表示手段による図柄変動に供されるまで所定数を限度として保留記憶する乱数情報記憶手段と、
前記乱数情報を前記図柄変動に供されるよりも前に先読み判定する先読み判定手段と、
前記先読み判定手段による先読み判定結果に基づく予告演出を制御する予告演出制御手段とを備え、
前記予告演出制御手段は、前記先読み判定結果に基づいて前記乱数情報に対応する演出態様を変化させることが可能な
遊技機において、
前記予告演出に関する報知演出を制御する報知演出制御手段を備え、
前記報知演出は、前記乱数情報が取得されたときにその乱数情報に対応する前記演出態様に応じた報知態様で報知する第１報知演出と、前記乱数情報が取得された後に前記演出態様が変化したときにその変化に応じた報知態様で報知する第２報知演出とを含み、
複数の前記乱数情報は、第１の図柄始動条件に基づいて取得された第１乱数情報とそれよりも後の第２の図柄始動条件に基づいて取得された第２乱数情報とを含み、
前記報知演出制御手段は、
前記第２乱数情報に基づいて遊技者に有利な前記利益状態が発生する場合には、前記第１乱数情報に関する前記第２報知演出よりも前記第２乱数情報に関する前記第１報知演出を優先して実行可能に制御する
ことを特徴とする遊技機。
【請求項２】
図柄始動条件の成立に基づいて乱数情報を取得する乱数情報取得手段と、
前記乱数情報に基づいて図柄変動を表示する図柄表示手段と、
前記図柄表示手段による図柄変動後の停止態様が特定態様となった場合に利益状態を発生させる利益状態発生手段と、
前記乱数情報を前記図柄表示手段による図柄変動に供されるまで所定数を限度として保留記憶する乱数情報記憶手段と、
前記乱数情報を前記図柄変動に供されるよりも前に先読み判定する先読み判定手段と、
前記先読み判定手段による先読み判定結果に基づく予告演出を制御する予告演出制御手段とを備え、
前記予告演出制御手段は、前記先読み判定結果に基づいて前記乱数情報に対応する演出態様を変化させることが可能な
遊技機において、
前記予告演出に関する報知演出を制御する報知演出制御手段を備え、
前記報知演出は、前記乱数情報が取得されたときにその乱数情報に対応する前記演出態様に応じた報知態様で報知する第１報知演出と、前記乱数情報が取得された後に前記演出態様が変化したときにその変化に応じた報知態様で報知する第２報知演出とを含み、
複数の前記乱数情報は、第１の図柄始動条件に基づいて取得された第１乱数情報とそれよりも後の第２の図柄始動条件に基づいて取得された第２乱数情報とを含み、
前記報知演出制御手段は、
前記第２乱数情報に基づいて遊技者に有利な前記利益状態が発生する場合には、前記第１乱数情報に関する前記第２報知演出よりも前記第２乱数情報に関する前記第２報知演出を優先して実行可能に制御する
ことを特徴とする遊技機。
【請求項３】
図柄始動条件の成立に基づいて乱数情報を取得する乱数情報取得手段と、
前記乱数情報に基づいて図柄変動を表示する図柄表示手段と、
前記図柄表示手段による図柄変動後の停止態様が特定態様となった場合に利益状態を発生させる利益状態発生手段と、
前記乱数情報を前記図柄表示手段による図柄変動に供されるまで所定数を限度として保留記憶する乱数情報記憶手段と、
前記乱数情報を前記図柄変動に供されるよりも前に先読み判定する先読み判定手段と、
前記先読み判定手段による先読み判定結果に基づく予告演出を制御する予告演出制御手段とを備え、
前記予告演出制御手段は、前記先読み判定結果に基づいて前記乱数情報に対応する演出態様を変化させることが可能な
遊技機において、
前記予告演出に関する報知演出を制御する報知演出制御手段を備え、
前記報知演出は、前記乱数情報が取得されたときにその乱数情報に対応する前記演出態様に応じた報知態様で報知する第１報知演出と、前記乱数情報が取得された後に前記演出態様が変化したときにその変化に応じた報知態様で報知する第２報知演出とを含み、
前記報知演出制御手段は、
前記第１報知演出よりも前記第２報知演出を優先して実行可能にし、
前記第１報知演出と前記第２報知演出との実行タイミングが略同時に到来した場合には、第１報知演出手段では優先的に前記第２報知演出を実行すると共に前記第１報知演出手段とは別の第２報知演出手段により前記第１報知演出を実行するように制御する
ことを特徴とする遊技機。
【請求項４】
前記第１報知演出手段を視覚的報知手段、前記第２報知演出手段を聴覚的報知手段とした
ことを特徴とする請求項３に記載の遊技機。
【請求項５】
前記報知演出制御手段は、
特定の場合は前記第１報知演出よりも前記第２報知演出を優先して実行可能に制御する
ことを特徴とする請求項１又は２に記載の遊技機。
【手続補正２】
【補正対象書類名】明細書
【補正対象項目名】０００５
【補正方法】変更
【補正の内容】
【０００５】
本発明は、図柄始動条件の成立に基づいて乱数情報を取得する乱数情報取得手段６２と、前記乱数情報に基づいて図柄変動を表示する図柄表示手段３２と、前記図柄表示手段３２による図柄変動後の停止態様が特定態様となった場合に利益状態を発生させる利益状態発生手段６６ａと、前記乱数情報を前記図柄表示手段３２による図柄変動に供されるまで所定数を限度として保留記憶する乱数情報記憶手段６３と、前記乱数情報を前記図柄変動に供されるよりも前に先読み判定する先読み判定手段６８と、前記先読み判定手段６８による先読み判定結果に基づく予告演出を制御する予告演出制御手段７５とを備え、前記予告演出制御手段７５は、前記先読み判定結果に基づいて前記乱数情報に対応する演出態様を変化させることが可能な遊技機において、前記予告演出に関する報知演出を制御する報知演出制御手段７６を備え、前記報知演出は、前記乱数情報が取得されたときにその乱数情報に対応する前記演出態様に応じた報知態様で報知する第１報知演出と、前記乱数情報が取得された後に前記演出態様が変化したときにその変化に応じた報知態様で報知する第２報知演出とを含み、複数の前記乱数情報は、第１の図柄始動条件に基づいて取得された第１乱数情報とそれよりも後の第２の図柄始動条件に基づいて取得された第２乱数情報とを含み、前記報知演出制御手段７６は、前記第２乱数情報に基づいて遊技者に有利な前記利益状態が発生する場合には、前記第１乱数情報に関する前記第２報知演出よりも前記第２乱数情報に関する前記第１報知演出を優先して実行可能に制御するものである。
また本発明は、図柄始動条件の成立に基づいて乱数情報を取得する乱数情報取得手段６２と、前記乱数情報に基づいて図柄変動を表示する図柄表示手段３２と、前記図柄表示手段３２による図柄変動後の停止態様が特定態様となった場合に利益状態を発生させる利益状態発生手段６６ａと、前記乱数情報を前記図柄表示手段３２による図柄変動に供されるまで所定数を限度として保留記憶する乱数情報記憶手段６３と、前記乱数情報を前記図柄変動に供されるよりも前に先読み判定する先読み判定手段６８と、前記先読み判定手段６８による先読み判定結果に基づく予告演出を制御する予告演出制御手段７５とを備え、前記予告演出制御手段７５は、前記先読み判定結果に基づいて前記乱数情報に対応する演出態様を変化させることが可能な遊技機において、前記予告演出に関する報知演出を制御する報知演出制御手段７６を備え、前記報知演出は、前記乱数情報が取得されたときにその乱数情報に対応する前記演出態様に応じた報知態様で報知する第１報知演出と、前記乱数情報が取得された後に前記演出態様が変化したときにその変化に応じた報知態様で報知する第２報知演出とを含み、複数の前記乱数情報は、第１の図柄始動条件に基づいて取得された第１乱数情報とそれよりも後の第２の図柄始動条件に基づいて取得された第２乱数情報とを含み、前記報知演出制御手段７６は、前記第２乱数情報に基づいて遊技者に有利な前記利益状態が発生する場合には、前記第１乱数情報に関する前記第２報知演出よりも前記第２乱数情報に関する前記第２報知演出を優先して実行可能に制御するものである。
また本発明は、図柄始動条件の成立に基づいて乱数情報を取得する乱数情報取得手段６２と、前記乱数情報に基づいて図柄変動を表示する図柄表示手段３２と、前記図柄表示手段３２による図柄変動後の停止態様が特定態様となった場合に利益状態を発生させる利益状態発生手段６６ａと、前記乱数情報を前記図柄表示手段３２による図柄変動に供されるまで所定数を限度として保留記憶する乱数情報記憶手段６３と、前記乱数情報を前記図柄変動に供されるよりも前に先読み判定する先読み判定手段６８と、前記先読み判定手段６８による先読み判定結果に基づく予告演出を制御する予告演出制御手段７５とを備え、前記予告演出制御手段７５は、前記先読み判定結果に基づいて前記乱数情報に対応する演出態様を変化させることが可能な遊技機において、前記予告演出に関する報知演出を制御する報知演出制御手段７６を備え、前記報知演出は、前記乱数情報が取得されたときにその乱数情報に対応する前記演出態様に応じた報知態様で報知する第１報知演出と、前記乱数情報が取得された後に前記演出態様が変化したときにその変化に応じた報知態様で報知する第２報知演出とを含み、前記報知演出制御手段７６は、前記第１報知演出よりも前記第２報知演出を優先して実行可能にし、前記第１報知演出と前記第２報知演出との実行タイミングが略同時に到来した場合には、第１報知演出手段３４では優先的に前記第２報知演出を実行すると共に前記第１報知演出手段３４とは別の第２報知演出手段７１により前記第１報知演出を実行するように制御するものである。
また、前記第１報知演出手段３４を視覚的報知手段、前記第２報知演出手段７１を聴覚的報知手段としてもよい。
また、前記報知演出制御手段７６は、特定の場合は前記第１報知演出よりも前記第２報知演出を優先して実行可能としてもよい。